(57)【要約】【課題】浴室がドーム型天井であっても、設置することができる浴室暖房乾燥機を提供することを目的とする。【解決手段】本体フレーム４の内部に、浴室の空気を吸い込み、浴室に吹き出す循環用風路と、本体フレーム４に設けた換気接続口１０に通風される換気用風路１１とを形成し、換気接続口１０は、本体フレーム４における天井の点検口側の側面１３および天面１４の２箇所に設けられ、２箇所の換気接続口１０を選択していずれかに、換気ユニットを連通接続することにより、通常の天井はもとより、ドーム型天井の場合には、ドーム形状に阻まれることのない天面１４側に換気ユニットを取り付けることにより、ドーム型天井にも設置できることとなる。【選択図】図３
2010276290.tif 000002
【特許請求の範囲】
【請求項１】
浴室の天井に設置される本体の外郭を形成する本体フレームの内部に、循環用送風機によって浴室の空気を吸い込み熱交換器を介して前記浴室に吹き出す循環用風路と、前記浴室の空気を吸い込み前記本体フレームに設けた換気接続口に通風される換気用風路とを形成し、前記換気接続口は、前記本体フレームにおける前記天井の点検口側の側面および天面の２箇所に設けられ、前記２箇所の換気接続口を選択していずれかに、換気用送風機を換気フレームの内部に備えた換気ユニットが連通接続されることを特徴とする浴室暖房乾燥機。
【請求項２】
前記本体フレームの前記点検口側の側面に直交する側面にも換気接続口を設け、前記換気接続口を３箇所としたことを特徴とする請求項１に記載の浴室暖房乾燥機。
【請求項３】
前記換気ユニットを、換気フレームの内部に換気用送風機を備え対向する側面に吸込口と吐出口を設けた中間ダクトファンとした場合にあって、前記点検口側の側面の換気接続口および前記天面の換気接続口はＬ型ダクトを介して前記中間ダクトファンの吸込口と連通接続されることを特徴とする請求項１に記載の浴室暖房乾燥機。
【請求項４】
前記本体フレームの前記点検口側の側面に直交する側面に直線型ダクトを接続する換気接続口を設け、前記換気接続口を３箇所としたことを特徴とする請求項３に記載の浴室暖房乾燥機。
【請求項５】
前記換気ユニットを、換気フレームの内部に換気用送風機を備え対向する側面に吸込口と吐出口を設けた中間ダクトファンとし、前記３箇所の換気接続口を選択していずれかに、前記中間ダクトファンの吸込口との間を蛇腹状ダクトによって連通接続することを特徴とする請求項２に記載の浴室暖房乾燥機。
【請求項６】
前記換気用送風機は、前記本体フレームの換気接続口と換気ユニットとの連通状態の相違にかかわらず所定の換気風量に制御する制御部を備えたことを特徴とする請求項１〜５のいずれかに記載の浴室暖房乾燥機。
【発明の詳細な説明】
【技術分野】
【０００１】
浴室の空気を吸い込んで浴室に吹き出す循環用風路を形成した本体のフレームと、フレームに連通接続して浴室の空気を換気する換気ユニットとにより構成する浴室暖房乾燥機に関する。
【背景技術】
【０００２】
従来、この種の浴室暖房乾燥機として、特許文献１に開示されたものがある。
【０００３】
特許文献１に開示の浴室暖房乾燥機は、本体の内部に、熱交換器と浴室の空気を循環させる循環用送風機により形成する循環用風路と、浴室の空気を本体の側面に設けた換気接続口から排気する換気風路とを設け、換気接続口に、内部に換気用送風機を設けた換気ユニットを取り付け、換気ユニットにより浴室および他室の空気を換気接続口を介して外部に排出する構成としている。
【先行技術文献】
【特許文献】
【０００４】
【特許文献１】特開２００１−２０１２５８号公報
【発明の概要】
【発明が解決しようとする課題】
【０００５】
このような従来の浴室暖房乾燥機では、本体の側面に換気ユニットを取り付けているので平面視したときの面積が大きくなり、天井面が一部の平面部を除いてドーム型となったドーム型天井である浴室には、設置できないという課題がある。
【０００６】
本発明は、このような従来の課題を解決するものであり、浴室がドーム型天井であっても、設置することができる浴室暖房乾燥機を提供することを目的とする。
【課題を解決するための手段】
【０００７】
本発明の浴室暖房乾燥機は、上記目的を達成するために、本体フレームに設ける換気接続口は、前記本体フレームにおける前記天井の点検口側の側面および天面の２箇所に設けられ、前記２箇所の換気接続口を選択していずれかに、換気用送風機を内部に備えた換気ユニットが連通接続される構成としたものである。
【発明の効果】
【０００８】
本発明によれば、本体フレームに設ける換気接続口は、本体フレームにおける天井の点検口側の側面および天面の２箇所に設けられ、この２箇所の換気接続口を選択していずれかに、換気ユニットが連通接続される構成としたことにより、通常の天井では、メンテナンスがより容易な点検口側のフレーム側面に換気ユニットを取り付け、ドーム型天井の場合には、ドーム形状に阻まれることのない本体フレームの天面側に換気ユニットを設置できることとなる、という効果のある浴室暖房乾燥機を提供することができる。
【図面の簡単な説明】
【０００９】
【図１】本発明の実施の形態１の浴室暖房乾燥機の通常の天井への設置斜視図
【図２】同浴室暖房乾燥機における本体フレームの点検口側側面に換気ユニットを取り付けた場合の断面図
【図３】同浴室暖房乾燥機の本体の斜視図
【図４】同浴室暖房乾燥機の側面図
【図５】同浴室暖房乾燥機のドーム型天井への設置斜視図
【図６】同浴室暖房乾燥機における本体フレームの天面に換気ユニットを取り付けた場合の断面図
【図７】同浴室暖房乾燥機のドーム型低天井への設置斜視図
【図８】同浴室暖房乾燥機における本体フレームの点検口側側面に直交する側面に換気ユニットを取り付けた場合の断面図
【図９】同浴室暖房乾燥機の換気ユニットを示す斜視図
【図１０】本発明の実施の形態２の浴室暖房乾燥機の通常の天井への設置斜視図
【図１１】同浴室暖房乾燥機の側面図
【図１２】同浴室暖房乾燥機のドーム型天井への設置斜視図
【図１３】同浴室暖房乾燥機のドーム型低天井への設置斜視図
【図１４】同浴室暖房乾燥機のダクトケースを備えたダクトの斜視図
【発明を実施するための形態】
【００１０】
本発明の請求項１記載の浴室暖房乾燥機は、浴室の天井に設置される本体の外郭を形成する本体フレームの内部に、循環用送風機によって浴室の空気を吸い込み熱交換器を介して前記浴室に吹き出す循環用風路と、前記浴室の空気を吸い込み前記本体フレームに設けた換気接続口に通風される換気用風路とを形成し、前記換気接続口は、前記本体フレームにおける前記天井の点検口側の側面および天面の２箇所に設けられ、前記２箇所の換気接続口を選択していずれかに、換気用送風機を換気フレームの内部に備えた換気ユニットが連通接続されるものであり、浴室の天井面のほぼ全体が平面で天井裏全体に一定の空間がある通常の天井の場合は、本体フレームの点検口側の側面の換気接続口を、天井面が一部の平面部を除いてドーム型の天井の場合は、天井側に空間のある本体フレームの天面の換気接続口を、それぞれ選択して換気ユニットを取り付けることができ、浴室が通常の天井面である場合に支障なく設置できるのは当然ながら、ドーム型天井の場合であってもドーム形状に阻まれることなく設置できるという効果を奏する。
【００１１】
また、請求項２記載の浴室暖房乾燥機は、請求項１に記載の浴室暖房乾燥機において、前記本体フレームの前記点検口側の側面に直交する側面にも換気接続口を設け、前記換気接続口を３箇所としたものであり、ドーム型天井であって、天井懐の低い天井の場合、点検口側側面と直交する側面の換気接続口を選択して対応することにより、換気ユニットを本体フレームに支障なく取り付けることができる。
【００１２】
また、請求項３記載の浴室暖房乾燥機は、請求項１に記載の浴室暖房乾燥機において、前記換気ユニットを、換気フレームの内部に換気用送風機を備え対向する側面に吸込口と吐出口を設けた中間ダクトファンとした場合にあって、前記点検口側の側面の換気接続口および前記天面の換気接続口はＬ型ダクトを介して前記中間ダクトファンの吸込口と連通接続されるものであり、通常の天井の場合はＬ型ダクトを介して点検口側の側面の換気接続口を、ドーム型天井の場合はＬ型ダクトを介して天面側の換気接続口を、それぞれ選択して中間ダクトファンを取り付けることにより、換気ユニットが中間ダクトファンであっても、通常の天井、ドーム型天井のいずれの場合にも、本体フレームに支障なく取り付けることができる。
【００１３】
また、請求項４記載の浴室暖房乾燥機は、請求項３に記載の浴室暖房乾燥機において、前記本体フレームの前記点検口側の側面に直交する側面に直線型ダクトを接続する換気接続口を設け、前記換気接続口を３箇所としたものであり、換気ユニットが中間ダクトファンであり、浴室がドーム型天井であって天井懐の低い天井の場合であっても、点検口側の側面と直交する側面の換気接続口を選択して対応することにより、中間ダクトファンを支障なく取り付けることができる。
【００１４】
また、請求項５記載の浴室暖房乾燥機は、請求項２記載の浴室暖房乾燥機において、前記換気ユニットを、換気フレームの内部に換気用送風機を備え対向する側面に吸込口と吐出口を設けた中間ダクトファンとし、前記３箇所の換気接続口を選択していずれかに、前記中間ダクトファンの吸込口との間を蛇腹状ダクトによって連通接続するものであり、通常の天井の浴室、ドーム型天井の浴室、ドーム型天井で天井懐の低い浴室のいずれの場合にも、蛇腹状ダクトを中間ダクトファンの配置できる方向に、直線状に、あるいは折曲して配管することにより、蛇腹状ダクト１種類で本体フレームの換気接続口と中間ダクトファンを連通接続して、中間ダクトファンを支障なく取り付けることができる。
【００１５】
また、請求項６記載の浴室暖房乾燥機は、前記換気用送風機は、請求項１〜５のいずれかに記載の浴室暖房乾燥機において、前記本体フレームの換気接続口と換気ユニットとの連通状態の相違にかかわらず所定の換気風量に制御する制御部を備えたものであり、浴室暖房乾燥機の設置時、換気ユニットの取り付け箇所によって本体フレームの換気接続口と換気ユニットとの連通状態が異なり、所定の風量が得られない場合には、制御部によって所定風量に調整することにより、浴室暖房乾燥機を設置する浴室の形態にかかわらず、所定の風量が得られることとなる。
【００１６】
以下、本発明の実施の形態について、図１〜図１４を参照しながら説明する。
【００１７】
（実施の形態１）
図１および図２に示すように、浴室１の天井２に設置される本体３の外郭を形成する本体フレーム４の内部に、循環用モーター５および循環用ファン６からなる循環用送風機７によって浴室１の空気を吸い込み熱交換器８を介して浴室１に吹き出す循環用風路９と、浴室１の空気を吸い込み本体フレーム４に設けた換気接続口１０に通風される換気用風路１１とを形成している。
【００１８】
そして、換気接続口１０は、図１および図３に示すように、本体フレーム４における天井２の点検口１２側の側面１３と、天面１４と、点検口１２側の側面１３に直交する側面１５との３箇所に設けられ、３箇所の換気接続口１０を選択していずれかに、換気ユニット２１を連通接続する。換気ユニット２１は、換気フレーム２６の内部に換気用ファン１６および換気用モーター１７からなる換気用送風機１８を、換気フレーム２６の側面に吸込口１９と吐出口２０を、それぞれ設けて構成されている。なお、選択しなかった残り２箇所の換気接続口１０は、フレーム蓋２２によって塞ぐ。
【００１９】
また、図２に示すように、換気ユニット２１の換気フレーム２６における点検口１２に近い側面に、換気風量が常に一定となるように、換気用送風機１８を制御する制御部２４が設けられている。
【００２０】
上記構成において、図１に示す通常の天井２Ｇに本体３を設置する場合は、メンテナンスがより容易な本体フレーム４の点検口１２側の側面１３に換気ユニット２１を取り付ける。換気ユニット２１は、吸込口１９と吐出口２０が直交する方向に設けられ、図４に示すように、本体フレーム４の側面１３に、換気フレーム２６の中心線Ｃに対し左右対象の位置に固定ねじ２３によってねじ止めされ、換気フレーム２６を左右反転して取り付けることによって、吐出口２０の方向を左右反転させることができる。そうすることにより、ダクト（図示せず）の配管方向を左右選択することができる。
【００２１】
一方、図５および図６に示すように、浴室１がドーム型天井２Ｄの場合には、ドーム形状に阻まれることのない本体フレーム４の天面１４側の換気接続口１０に換気ユニット２１を設置できる。使用しない点検口１２側の側面１３と、点検口１２側の側面１３に直交する側面１５の換気接続口１０にはフレーム蓋２２をする。この場合の換気ユニット２１も、上記の通常の天井２Ｇの場合と同じく、吸込口１９と吐出口２０が直交する方向に設けられたものとし、同様に吐出口２０の方向を左右反転させることができるようにしている。
【００２２】
そして、図７および図８に示すように、ドーム型であって、天井懐２５の高さＨが低いドーム型低天井２Ｌの場合は、点検口１２側の側面１３と直交する側面１５の換気接続口１０を選択して換気ユニット２１を設置する。この場合の換気ユニット２１は、吸込口１９と吐出口２０が対向した構成のものとする。また、使用しない点検口１２側の側面１３と天面１４の換気接続口１０は、フレーム蓋２２によって塞ぐ。
【００２３】
なお、上記のように、通常の天井２Ｇおよびドーム型天井２Ｄの場合は、吸込口１９と吐出口２０が直交した換気ユニット２１を取り付け、ドーム型低天井２Ｌの場合は、吸込口１９と吐出口２０が対向した換気ユニット２１を取り付け、２仕様の換気ユニット２１が必要であるが、図９に示すように、換気ユニット２１には、換気フレーム２６におけるダクト３８を連通接続する吐出口２０（図示せず）を設けた側面に直交する側面２７と、前記吐出口２０に対向する側面２８との２箇所に吸込口１９を設け、使用しない側の吸込口１９（図９の場合は対向する側面２８の吸込口１９）に換気蓋２９を取付ける構成とすることにより、１種類の換気ユニット２１で、上記の２仕様に対応できることとなる。
【００２４】
そして、本体３が通常の天井２Ｇ、ドーム型天井２Ｄ、ドーム型低天井２Ｌのいずれかに設置されることによる本体フレーム４と換気ユニット２１との連通状態の相違、また、建物のレイアウトによるダクト配管の相違等によって、設置した時点に所定の換気風量が得えられない場合には、制御部２４によって所定の換気風量となるように換気用送風機１８を制御し、浴室１の天井２の形態にかかわらず浴室暖房乾燥機を、性能を維持したうえで、設置できることとなる。
【００２５】
（実施の形態２）
本発明の実施の形態２の浴室暖房乾燥機は、図１０に示すように、上記実施の形態１の浴室暖房乾燥機に対し、換気ユニットが、換気フレームとしてのダクトフレーム３１の内部に換気用送風機（図示せず）を備え、対向する側面に吸込口３２と吐出口３３を設けた中間ダクトファン３０の場合である。浴室１が図１０に示す通常の天井２Ｇの場合は、メンテナンスがより容易な本体フレーム４の点検口１２側の側面１３に設けた換気接続口１０に、Ｌ型ダクト３４と中継ダクト３５を介して中間ダクトファン３０の吸込口３２を連通接続する。
【００２６】
そして、図１１に示すように、本体フレーム４へのＬ型ダクト３４の取り付けは、Ｌ型ダクト３４のダクトケース３６の中心線Ｃに対し左右対称の位置に固定ねじ２３によってねじ止めする構成により、Ｌ型ダクト３４の向きを左右反転することができ、中間ダクトファン３０の取り付け位置を左右方向において選択することができる。
【００２７】
一方、浴室１が図１２に示すドーム型天井２Ｄの場合には、ドーム形状に阻まれることのない本体フレーム４の天面１４側の換気接続口１０に、Ｌ型ダクト３４と中継ダクト３５を介して中間ダクトファン３０（図示せず）の吸込口３２を連通接続する。
【００２８】
また、図１３に示すように、ドーム型であって、天井懐２５の高さＨが低いドーム型低天井２Ｌの場合は、点検口１２側の側面１３に直交する側面１５の換気接続口１０を選択し、直線型ダクト３７と中継ダクト３５を介して中間ダクトファン３０（図示せず）の吸込口３２と連通接続させる。
【００２９】
なお、上記のように、本体３と中間ダクトファン３０との連通接続には、Ｌ型ダクト３４と直線型ダクト３７の２種類が必要であるが、図１４に示すように、ダクトケース３６におけるダクト３８を連通接続する吐出口（図示せず）を設けた側面に直交する側面４０と、前記吐出口に対向する側面４１との２箇所に吸込口４２を設け、上記のＬ型ダクト３４を使用する場合は、前記吐出口に対向する側面４１の吸込口４２にダクト蓋４３にて蓋をし、上記の直線型ダクト３７を使用する場合は、前記吐出口に直交する側面４０の吸込口４２にダクト蓋４３にて蓋をすることにより、このダクトケース３６を備えたダクト１種類で、上記のＬ型ダクト３４または直線型ダクト３７を使用する場合のどちらにも対応できることとなる。
【００３０】
また、Ｌ型ダクト３４および直線型ダクト３７に替えて、蛇腹状ダクト（図示せず）を使用することにより、通常の天井２Ｇ、ドーム型天井２Ｄ、ドーム型低天井２Ｌのいずれの場合にも、この蛇腹状ダクトだけで対応できることとなる。
【産業上の利用可能性】
【００３１】
本発明に係る浴室暖房乾燥機は、本体に対して換気ユニットを取り付ける本体フレームの側面あるいは天面を選択することによって、ドーム型天井、あるいは、ドーム型で天井懐の低いドーム型低天井にも設置することができ、本体と換気ユニットとを分離した浴室暖房乾燥機に有用である。
【符号の説明】
【００３２】
１    浴室
２    天井
３    本体
４    本体フレーム
７    循環用送風機
８    熱交換器
９    循環用風路
１０  換気接続口
１１  換気用風路
１２  点検口
１３  側面
１４  天面
１５  側面
１８  換気用送風機
２１  換気ユニット
２４  制御部
２６  換気フレーム
３０  中間ダクトファン
３１  ダクトフレーム
３２  吸込口
３３  吐出口
３４  Ｌ型ダクト
３７  直線型ダクト
【図１】
2010276290.tif 000003
【図２】
2010276290.tif 000004
【図３】
2010276290.tif 000005
【図４】
2010276290.tif 000006
【図５】
2010276290.tif 000007
【図６】
2010276290.tif 000008
【図７】
2010276290.tif 000009
【図８】
2010276290.tif 000010
【図９】
2010276290.tif 000011
【図１０】
2010276290.tif 000012
【図１１】
2010276290.tif 000013
【図１２】
2010276290.tif 000014
【図１３】
2010276290.tif 000015
【図１４】
2010276290.tif 000016